【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
スロット中でアップリンク通信を送信するためのチャネルフォーマットを決定することと、ここにおいて、前記チャネルフォーマットは、前記アップリンク通信のペイロードサイズに少なくとも部分的に基づいて、および前記スロット中で前記アップリンク通信を送信するためのアップリンクチャネル持続期間に基づいて、複数のチャネルフォーマットから選択され、前記チャネルフォーマットは、前記スロット中の基準信号送信のためのパターンを示す、
前記アップリンク通信を送信するための前記スロットの前記アップリンクチャネル持続期間の開始シンボルおよび終了シンボルを決定することと、
前記開始シンボルおよび前記終了シンボルに少なくとも部分的に基づいて、前記スロット中で前記アップリンク通信を送信する際に利用するための前記チャネルフォーマットの一部分を決定することと、
前記スロット中で前記アップリンク通信を送信することと、ここにおいて、前記アップリンク通信を送信することは、前記チャネルフォーマットの前記一部分に基づく、
を備える、方法。
【請求項２】
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、請求項１に記載の方法。
【請求項３】
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、請求項１に記載の方法。
【請求項４】
前記チャネルフォーマットは、前記アップリンク通信の前記ペイロードサイズがアップリンク制御データの１または２ビットであるとの決定に基づいて選択される、請求項３に記載の方法。
【請求項５】
前記チャネルフォーマットは、ＤＭ−ＲＳのために指定されたような前記固定パターンで前記開始シンボルを示す、請求項４に記載の方法。
【請求項６】
前記チャネルフォーマットは、ＤＭ−ＲＳ送信のために指定された１つまたは複数のシンボルの固定パターンを示し、前記チャネルフォーマットの前記一部分は、前記固定パターン中の前記１つまたは複数のシンボルのうちの少なくとも１つを含むように決定される、請求項１に記載の方法。
【請求項７】
前記チャネルフォーマットはまた、通信周波数を切り替えるシンボル境界に対応するホッピング位置を示す、請求項６に記載の方法。
【請求項８】
前記固定パターンは、周波数ホッピングが構成されるかどうかに関わらず固定される、または、前記固定パターンは、周波数ホッピングが構成されるかどうかに少なくとも部分的に基づく、請求項６に記載の方法。
【請求項９】
前記複数のチャネルフォーマットの前記各々は、ＤＭ−ＲＳ送信のために指定された１つまたは複数のシンボルの固定パターンと、通信周波数を切り替えるシンボル境界に対応するホッピング位置とを示す、請求項１に記載の方法。
【請求項１０】
前記開始シンボルおよび前記終了シンボルに少なくとも部分的に基づいて、前記アップリンク通信を送信するための拡散率および／または直交カバーセットを決定することをさらに備え、任意選択的に、ここにおいて、前記直交カバーセットはさらに、周波数ホッピングが構成されるかどうかに少なくとも部分的に基づく、請求項１に記載の方法。
【請求項１１】
前記チャネルフォーマットは、前記スロット中の復調基準信号（ＤＭ−ＲＳ）送信のために指定された３つまたは４つのシンボルの固定パターンを示す、請求項１に記載の方法。
【請求項１２】
前記チャネルフォーマットは、周波数ホッピングが構成される場合、前記スロットの各ハーフスロット中の復調基準信号（ＤＭ−ＲＳ）送信のために指定された２つのシンボルの前記固定パターンを示す、請求項１１に記載の方法。
【請求項１３】
前記チャネルフォーマットは、前記スロット中の復調基準信号（ＤＭ−ＲＳ）送信のために指定された１つまたは２つのシンボルの固定パターンを示す、請求項１に記載の方法。
【請求項１４】
前記チャネルフォーマットは、周波数ホッピングが構成される、前記スロットの各ハーフスロット中の復調基準信号（ＤＭ−ＲＳ）送信のために指定された１つのシンボルの前記固定パターンを示す、請求項１３に記載の方法。
【請求項１５】
前記チャネルフォーマットは、固定されたシンボルごとのユーザ多重化スキームおよび／またはフレキシブルなマルチシンボルユーザ多重化スキームを定義する、請求項１に記載の方法。
【請求項１６】
前記アップリンク通信を送信するための前記チャネルフォーマットおよび／または多重化スキームを決定することはさらに、ドップラモードに少なくとも部分的に基づく、請求項１に記載の方法。
【請求項１７】
スロット内周波数ホッピングを有効化するかどうかおよび／または前記チャネルフォーマットを決定することは、ドップラモードまたは前記ペイロードサイズに少なくとも部分的に基づく、請求項１に記載の方法。
【請求項１８】
前記チャネルフォーマットを決定することはさらに、前記チャネルフォーマットの前記一部分が復調基準信号（ＤＭ−ＲＳ）を送信するために指定された少なくとも１つのシンボルを含むかどうかを決定することに少なくとも部分的に基づく、請求項１に記載の方法。
【請求項１９】
ワイヤレス通信のための装置であって、
スロット中でアップリンク通信を送信するためのチャネルフォーマットを決定するための手段と、ここにおいて、前記チャネルフォーマットは、前記アップリンク通信のペイロードサイズに少なくとも部分的に基づいて、複数のチャネルフォーマットから選択され、および前記スロット中で前記アップリンク通信を送信するためのアップリンクチャネル持続期間に基づいて、複数のチャネルフォーマットから選択され、前記チャネルフォーマットは、前記スロット中の基準信号送信のためのパターンを示す、
前記アップリンク通信を送信するための前記スロットのアップリンクチャネル持続期間の開始シンボルおよび終了シンボルを決定するための手段と、
前記開始シンボルおよび前記終了シンボルに少なくとも部分的に基づいて、前記スロット中で前記アップリンク通信を送信する際に利用するための前記チャネルフォーマットの一部分を決定するための手段と、
前記スロット中で前記アップリンク通信を送信するための手段と、ここにおいて、前記アップリンク通信を送信することは、前記チャネルフォーマットの前記一部分に基づく、  を備える、装置。
【請求項２０】
実行されると請求項１〜１８のいずれかに記載の方法を実施する、ワイヤレス通信のための１つまたは複数のプロセッサによって実行可能なコードを備えるコンピュータ可読媒体。
【請求項２１】
ワイヤレス通信のための方法であって、
アップリンクチャネル持続期間の開始シンボルおよび終了シンボルを示すことと、
スロット内の前記アップリンクチャネル持続期間中にアップリンクチャネル上の通信を受信するためのチャネルフォーマットを決定することと、ここにおいて、前記チャネルフォーマットは、複数のチャネルフォーマットのうちの１つであり、かつ少なくとも１つのペイロードサイズに基づき、および前記スロット中で前記アップリンク通信を送信するための前記アップリンクチャネル持続期間に基づき、前記チャネルフォーマットは、前記スロット中の基準信号送信のためのパターンを示す、
前記アップリンクチャネル持続期間中に前記アップリンクチャネル上で、および前記チャネルフォーマットに従って、アップリンク通信を受信することと
を備える、方法。
【請求項２２】
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
請求項２１に記載の方法。
【請求項２３】
ワイヤレス通信のための装置であって、
アップリンクチャネル持続期間の開始シンボルおよび終了シンボルを示すための手段と、
スロット内の前記アップリンクチャネル持続期間中のアップリンクチャネル上の通信を受信するためのチャネルフォーマットを決定するための手段と、ここにおいて、前記チャネルフォーマットは、複数のチャネルフォーマットのうちの１つであり、かつ前記スロット中の基準信号（ＤＭＲＳ）送信である、
前記アップリンクチャネル持続期間中に前記アップリンクチャネル上で、および前記チャネルフォーマットに従って、アップリンク通信を受信するための手段と
を備える、装置。
【請求項２４】
請求項２１または２２に記載の方法を実施するようにワイヤレス通信のための１つまたは複数のプロセッサによって実行可能なコードを備えるコンピュータ可読媒体。
【手続補正２】
【補正対象書類名】明細書
【補正対象項目名】００９４
【補正方法】変更
【補正の内容】
【００９４】
[00103]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形に適用できる。さらに、説明された態様および／または実施形態の要素は、単数形で説明または特許請求され得るが、単数形への限定が明示的に述べられていない限り、複数形が考慮される。さらに、任意の態様および／または実施形態の全部または一部分は、別段の規定がない限り、任意の他の態様および／または実施形態の全部または一部分とともに利用され得る。よって、本開示は、本明細書で説明される例および設計に限定されるものではなく、本明細書で開示する原理および新規の特徴に合致する最も広い範囲を与えられるべきである。
以下に、本願の出願当初の特許請求の範囲に記載された発明を付記する。
［Ｃ１］
ワイヤレス通信のための方法であって、
スロット中でアップリンク通信を送信するためのチャネルフォーマットを決定することと、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定することと、
前記開始シンボルおよび前記終了シンボルに少なくとも部分的に基づいて、前記スロット中で前記アップリンク通信を送信する際に利用するための前記チャネルフォーマットの一部分を決定することと、
前記スロット中で前記アップリンク通信を送信することと、ここにおいて、前記アップリンク通信を送信することは、前記チャネルフォーマットの前記一部分に基づく、
を備える、方法。
［Ｃ２］
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、Ｃ１に記載の方法。
［Ｃ３］
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、Ｃ１に記載の方法。
［Ｃ４］
前記チャネルフォーマットは、前記アップリンク通信の前記ペイロードサイズがアップリンク制御データの１または２ビットであるとの決定に基づいて選択される、Ｃ３に記載の方法。
［Ｃ５］
前記チャネルフォーマットは、ＤＭ−ＲＳのために指定されたような前記固定パターンで前記開始シンボルを示す、Ｃ４に記載の方法。
［Ｃ６］
前記チャネルフォーマットは、復調基準信号（ＤＭ−ＲＳ）送信のために指定された１つまたは複数のシンボルの固定パターンを示し、前記チャネルフォーマットの前記一部分は、前記固定パターン中の前記１つまたは複数のシンボルうちの少なくとも１つを含むように決定される、Ｃ１に記載の方法。
［Ｃ７］
前記チャネルフォーマットはまた、通信周波数を切り替えるシンボル境界に対応するホッピング位置を示す、Ｃ６に記載の方法。
［Ｃ８］
前記固定パターンは、周波数ホッピングが構成されるかどうかに関わらず固定される、Ｃ６に記載の方法。
［Ｃ９］
前記固定パターンは、周波数ホッピングが構成されるかどうかに少なくとも部分的に基づく、Ｃ６に記載の方法。
［Ｃ１０］
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、Ｃ１に記載の方法。
［Ｃ１１］
前記開始シンボルおよび前記終了シンボルに少なくとも部分的に基づいて、前記アップリンク通信を送信するための拡散率および／または直交カバーセットを決定することをさらに備える、Ｃ１に記載の方法。
［Ｃ１２］
前記拡散率および／または前記直交カバーセットを決定することはさらに、周波数ホッピングが構成されるかどうかに少なくとも部分的に基づく、Ｃ１１に記載の方法。
［Ｃ１３］
前記チャネルフォーマットは、前記スロット中の復調基準信号（ＤＭ−ＲＳ）送信のために指定された３つまたは４つのシンボルの固定パターンを示す、Ｃ１に記載の方法。
［Ｃ１４］
前記チャネルフォーマットは、周波数ホッピングが構成される場合、前記スロットの各ハーフスロット中の復調基準信号（ＤＭ−ＲＳ）送信のために指定された２つのシンボルの前記固定パターンを示す、Ｃ１３に記載の方法。
［Ｃ１５］
前記チャネルフォーマットは、前記スロット中の復調基準信号（ＤＭ−ＲＳ）送信のために指定された１つまたは２つのシンボルの固定パターンを示す、Ｃ１に記載の方法。
［Ｃ１６］
前記チャネルフォーマットは、周波数ホッピングが構成される、前記スロットの各ハーフスロット中の復調基準信号（ＤＭ−ＲＳ）送信のために指定された１つのシンボルの前記固定パターンを示す、Ｃ１５に記載の方法。
［Ｃ１７］
前記チャネルフォーマットは、固定されたシンボルごとのユーザ多重化スキームおよび／またはフレキシブルなマルチシンボルユーザ多重化スキームを定義する、Ｃ１に記載の方法。
［Ｃ１８］
前記アップリンク通信を送信するための前記チャネルフォーマットおよび／または多重化スキームを決定することはさらに、ドップラモードに少なくとも部分的に基づく、Ｃ１に記載の方法。
［Ｃ１９］
スロット内周波数ホッピングを有効化するかどうかおよび／または前記チャネルフォーマットを決定することは、ドップラモードまたは前記ペイロードサイズに少なくとも部分的に基づく、Ｃ１に記載の方法。
［Ｃ２０］
前記チャネルフォーマットを決定することはさらに、前記チャネルフォーマットの前記一部分が復調基準信号（ＤＭ−ＲＳ）を送信するために指定された少なくとも１つのシンボルを含むかどうかを決定することに少なくとも部分的に基づく、Ｃ１に記載の方法。
［Ｃ２１］
ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、ここにおいて、前記１つまたは複数のプロセッサは、
スロット中でアップリンク通信を送信するためのチャネルフォーマットを決定することと、ここにおいて、前記チャネルフォーマットは、前記アップリンク通信のペイロードサイズに少なくとも部分的に基づいて、複数のチャネルフォーマットから選択される、    前記アップリンク通信を送信するための前記スロットのアップリンクチャネル持続期間の開始シンボルおよび終了シンボルを決定することと、
前記開始シンボルおよび前記終了シンボルに少なくとも部分的に基づいて、前記スロット中で前記アップリンク通信を送信する際に利用するための前記チャネルフォーマットの一部分を決定することと、
前記スロット中で前記アップリンク通信を送信することと、ここにおいて、前記アップリンク通信を送信することは、前記チャネルフォーマットの前記一部分に基づく、
を行うように構成された、装置。
［Ｃ２２］
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、Ｃ２１に記載の装置。
［Ｃ２３］
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、Ｃ２１に記載の装置。
［Ｃ２４］
前記チャネルフォーマットは、前記アップリンク通信の前記ペイロードサイズがアップリンク制御データの１または２ビットであるとの決定に基づいて選択される、Ｃ２３に記載の装置。
［Ｃ２５］
前記チャネルフォーマットは、ＤＭ−ＲＳのために指定されたような前記固定パターンで前記開始シンボルを示す、Ｃ２４に記載の装置。
［Ｃ２６］
前記チャネルフォーマットは、復調基準信号（ＤＭ−ＲＳ）送信のために指定された１つまたは複数のシンボルの固定パターンを示し、ここにおいて、前記チャネルフォーマットの前記一部分は、前記固定パターン中の前記１つまたは複数のシンボルうちの少なくとも１つを含むように決定される、Ｃ２１に記載の装置。
［Ｃ２７］
前記チャネルフォーマットはまた、通信周波数を切り替えるシンボル境界に対応するホッピング位置を示す、Ｃ２６に記載の装置。
［Ｃ２８］
前記固定パターンは、周波数ホッピングが構成されるかどうかに関わらず固定される、Ｃ２７に記載の装置。
［Ｃ２９］
前記固定パターンは、周波数ホッピングが構成されるかどうかに少なくとも部分的に基づく、Ｃ２７に記載の装置。
［Ｃ３０］
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、Ｃ２１に記載の装置。
［Ｃ３１］
前記開始シンボルおよび前記終了シンボルに少なくとも部分的に基づいて、前記アップリンク通信を送信するための拡散率および／または直交カバーセットを決定することをさらに備える、Ｃ２１に記載の装置。
［Ｃ３２］
前記アップリンク通信を送信するための前記チャネルフォーマットおよび／または多重化スキームを決定することはさらに、ドップラモードに少なくとも部分的に基づく、Ｃ２１に記載の装置。
［Ｃ３３］
スロット内周波数ホッピングを有効化するかどうかおよび／または前記チャネルフォーマットを決定することは、ドップラモードまたは前記ペイロードサイズに少なくとも部分的に基づく、Ｃ２１に記載の装置。
［Ｃ３４］
ワイヤレス通信のための装置であって、
スロット中でアップリンク通信を送信するためのチャネルフォーマットを決定するための手段と、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定するための手段と、
前記開始シンボルおよび前記終了シンボルに少なくとも部分的に基づいて、前記スロット中で前記アップリンク通信を送信する際に利用するための前記チャネルフォーマットの一部分を決定するための手段と、
前記スロット中で前記アップリンク通信を送信するための手段と、ここにおいて、前記アップリンク通信を送信することは、前記チャネルフォーマットの前記一部分に基づく、  を備える、装置。
［Ｃ３５］
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、Ｃ３４に記載の装置。
［Ｃ３６］
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、Ｃ３４に記載の装置。
［Ｃ３７］
前記チャネルフォーマットは、前記アップリンク通信の前記ペイロードサイズがアップリンク制御データの１または２ビットであるとの決定に基づいて選択される、Ｃ３６に記載の装置。
［Ｃ３８］
前記チャネルフォーマットは、ＤＭ−ＲＳのために指定されたような前記固定パターンで前記開始シンボルを示す、Ｃ３７に記載の装置。
［Ｃ３９］
前記チャネルフォーマットは、復調基準信号（ＤＭ−ＲＳ）送信のために指定された１つまたは複数のシンボルの固定パターンを示し、ここにおいて、前記チャネルフォーマットの前記一部分は、前記固定パターン中の前記１つまたは複数のシンボルうちの少なくとも１つを含むように決定される、Ｃ３４に記載の装置。
［Ｃ４０］
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、Ｃ３４に記載の装置。
［Ｃ４１］
ワイヤレス通信のために１つまたは複数のプロセッサによって実行可能なコードを備えるコンピュータ可読媒体であって、前記コードは、
スロット中でアップリンク通信を送信するためのチャネルフォーマットを決定するためのコードと、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定するためのコードと、
前記開始シンボルおよび前記終了シンボルに少なくとも部分的に基づいて、前記スロット中で前記アップリンク通信を送信する際に利用するための前記チャネルフォーマットの一部分を決定するためのコードと、
前記スロット中で前記アップリンク通信を送信するためのコードと、ここにおいて、前記アップリンク通信を送信することは、前記チャネルフォーマットの前記一部分に基づく、
を備える、コンピュータ可読媒体。
［Ｃ４２］
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、Ｃ４１に記載のコンピュータ可読媒体。
［Ｃ４３］
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、Ｃ４１に記載のコンピュータ可読媒体。
［Ｃ４４］
前記チャネルフォーマットは、前記アップリンク通信の前記ペイロードサイズがアップリンク制御データの１または２ビットであるとの決定に基づいて選択される、Ｃ４３に記載のコンピュータ可読媒体。
［Ｃ４５］
前記チャネルフォーマットは、ＤＭ−ＲＳのために指定されたような前記固定パターンで前記開始シンボルを示す、Ｃ４４に記載のコンピュータ可読媒体。
［Ｃ４６］
前記チャネルフォーマットは、復調基準信号（ＤＭ−ＲＳ）送信のために指定された１つまたは複数のシンボルの固定パターンを示し、ここにおいて、前記チャネルフォーマットの前記一部分は、前記固定パターン中の前記１つまたは複数のシンボルうちの少なくとも１つを含むように決定される、Ｃ４１に記載のコンピュータ可読媒体。
［Ｃ４７］
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、Ｃ４１に記載のコンピュータ可読媒体。
［Ｃ４８］
ワイヤレス通信のための方法であって、
アップリンクチャネル持続期間の開始シンボルおよび終了シンボルを示すことと、
スロット内の前記アップリンクチャネル持続期間中にアップリンクチャネル上の通信を受信するためのチャネルフォーマットを決定することと、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信することと
を備える、方法。
［Ｃ４９］
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
Ｃ４８に記載の方法。
［Ｃ５０］
ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、ここにおいて、前記１つまたは複数のプロセッサは、
アップリンクチャネル持続期間の開始シンボルおよび終了シンボルを示すことと、    スロット内の前記アップリンクチャネル持続期間中のアップリンクチャネル上の通信を受信するためのチャネルフォーマットを決定することと、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信することと
を行うように構成された、装置。
［Ｃ５１］
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
Ｃ５０に記載の装置。
［Ｃ５２］
ワイヤレス通信のための装置であって、
アップリンクチャネル持続期間の開始シンボルおよび終了シンボルを示すための手段と、
スロット内の前記アップリンクチャネル持続期間中のアップリンクチャネル上の通信を受信するためのチャネルフォーマットを決定するための手段と、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信するための手段と
を備える、装置。
［Ｃ５３］
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
Ｃ５２に記載の装置。
［Ｃ５４］
ワイヤレス通信のために１つまたは複数のプロセッサによって実行可能なコードを備えるコンピュータ可読媒体であって、前記コードは、
アップリンクチャネル持続期間の開始シンボルおよび終了シンボルを示すためのコードと、
スロット内の前記アップリンクチャネル持続期間中のアップリンクチャネル上の通信を受信するためのチャネルフォーマットを決定するためのコードと、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信するためのコードと
を備える、コンピュータ可読媒体。
［Ｃ５５］
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
Ｃ５４に記載のコンピュータ可読媒体。